【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
各画素の階調レベルに対応したドット配置パターンに基づき、記録ヘッドから記録媒体にインクを吐出して記録を行う記録方法であって、
同一の階調レベルの複数の画素に対して１種類のドット配置パターンを割当て、該割当てられたドット配置パターンに基づき記録を行う第１記録動作モードと、同一の階調レベルの複数の画素に対して複数種類のドット配置パターンを割当て、該割当てられたドット配置パターンに基づき記録を行う第２記録動作モードのうち、１つの記録動作モードを選択する選択工程と、
前記選択工程において選択された記録動作モードを実行する記録工程とを有することを特徴とする記録方法。
【請求項２】
記録ヘッドから記録媒体にインクを吐出して記録を行う記録方法であって、
前記記録媒体のサイズに関する情報および画像データのサイズに関する情報の内の少なくとも一方の情報に応じて、各画素に割り当てるドット配置パターンを決定する決定工程と、
前記決定されたドット配置パターンに基づき各画素に対して記録を行う記録工程とを有し、
前記決定工程は、予め定められた同数のドットが付着される特定レベルの複数画素に対して１種類のドット配置パターンを割当てるか、複数種類のドット配置パターンを割当てるかを、前記少なくとも一方の情報に応じて決定することを特徴とする記録方法。
【請求項３】
前記特定レベルの画素に割当てられる前記１種類のドット配置パターンは、画素内の同じ位置にドットを付着させるパターンであり、
前記特定レベルの画素に割当てられる前記複数種類のドット配置パターンは、画素内の異なる位置にドットを付着させるパターンを含むことを特徴とする請求項２に記載の記録方法。
【請求項４】
前記特定レベルの画素に割当てられる前記複数種類のドット配置パターンは、画素内の異なる位置にドットを付着させるパターンと、画素内の同じ位置にドットを付着させるパターンとを含むことを特徴とする請求項２に記載の記録方法。
【請求項５】
各画素の階調レベルに対応したドット配置パターンに基づき、記録ヘッドから記録媒体にインクを吐出して記録を行う記録装置であって、
同一の階調レベルの複数の画素に対して１種類のドット配置パターンを割当て、該割当てられたドット配置パターンに基づき記録を行う第１記録動作モードを実行するための第１記録手段と、
同一の階調レベルの複数の画素に対して複数種類のドット配置パターンを割当て、該割当てられたドット配置パターンに基づき記録を行う第２記録動作モードを実行するための第２記録手段とを有することを特徴とする記録装置。
【請求項６】
各画素の階調レベルに対応したドット配置パターンに基づき、記録ヘッドから記録媒体にインクを吐出して記録を行う記録装置であって、
複数の階調レベルの内、特定の階調レベルに対応した画素に対して１種類のドット配置パターンを割当て、該割当てられたドット配置パターンに基づき記録を行う第１記録動作モードを実行するための第１記録手段と、
前記特定の階調レベルに対応した画素に対して複数種類のドット配置パターンを割当て、該割当てられたドット配置パターンに基づき記録を行う第２記録動作モードを実行するための第２記録手段とを有することを特徴とする記録装置。
【請求項７】
記録ヘッドから記録媒体にインクを吐出して記録を行う記録装置であって、
複数の階調レベルの内、特定の階調レベルに対応した画素に対し、該画素内の同じ位置にドットを付着させるドット配置パターンを割当て、該割当てられたドット配置パターンに基づき記録を行う第１記録動作モードを実行するための第１記録手段と、
前記特定の階調レベルに対応した画素に対し、当画素内の異なる位置にドットを付着させるドット配置パターンを含む複数種類のドット配置パターンを割当て、該割当てられたドット配置パターンに基づき記録を行う第２記録動作モードを実行するための第２記録手段とを有することを特徴とする記録装置。
【請求項８】
記録ヘッドから記録媒体にインクを吐出して記録を行う記録装置であって、
前記記録媒体のサイズに関する情報および画像データのサイズに関する情報の内の少なくとも一方の情報に応じて、各画素に割り当てるドット配置パターンを決定する決定手段と、
前記決定手段により決定されたドット配置パターンに基づき各画素に対して記録を行う記録手段とを有し、
前記決定手段は、予め定められた同数のドットが付着される特定レベルの複数画素に対して１種類のドット配置パターンを割当てるか複数種類のドット配置パターンを割当てるかを、前記少なくとも一方の情報に応じて決定することを特徴とする記録装置。
【請求項９】
前記記録ヘッドを第１の方向に往復走査する走査手段と、
前記記録媒体を前記第１の方向とは異なる第２の方向に搬送する搬送手段とをさらに有し、
前記記録媒体のサイズは、前記第１の方向のサイズ、前記第２の方向のサイズ、及び前記第１及び第２の方向のサイズの合計の内のいずれかであり、
前記画像データのサイズは、前記第１の方向のサイズ、前記第２の方向のサイズ、及び前記第１及び第２の方向のサイズの合計の内のいずれかであることを特徴とする請求項８に記載の記録装置。
【請求項１０】
前記記録手段は、
前記記録ヘッドの全ての記録要素を用いて１回の走査で記録可能な領域に対し前記記録ヘッドを複数回走査させることで前記領域への記録を完成させるよう制御するマルチパス記録制御手段を含むことを特徴とする請求項９に記載の記録装置。
【請求項１１】
前記特定レベルの画素に割当てられる前記１種類のドット配置パターンは、画素内の同じ位置にドットを付着させるパターンであり、
前記特定レベルの画素に割当てられる前記複数種類のドット配置パターンは、画素内の異なる位置にドットを付着させるパターンを含むことを特徴とする請求項９に記載の記録装置。
【請求項１２】
前記特定レベルの画素に割当てられる前記複数種類のドット配置パターンは、画素内の異なる位置にドットを付着させるパターンと、画素内の同じ位置にドットを付着させるパターンとを含むことを特徴とする請求項１１に記載の記録装置。
【請求項１３】
前記画素内の異なる位置にドットを付着させるパターンの記録では、前記走査手段によって前記記録ヘッドが走査される第１の方向にドット位置を異ならせることにより前記異なる位置にドットを付着させることを特徴とする請求項１１に記載の記録装置。
【請求項１４】
前記画素内の異なる位置にドットを付着させるパターンの記録では、前記搬送手段によって前記記録媒体が搬送される第２の方向にドット位置を異ならせることにより前記異なる位置にインク液滴を付着させることを特徴とする請求項１１に記載の記録装置。
【手続補正２】
【補正対象書類名】明細書
【補正対象項目名】００１４
【補正方法】変更
【補正の内容】
【００１４】
即ち、記録ヘッドから記録媒体にインクを吐出して記録を行う記録方法であって、前記記録媒体のサイズに関する情報および画像データのサイズに関する情報の内の少なくとも一方の情報に応じて、各画素に割り当てるドット配置パターンを決定する決定工程と、前記決定されたドット配置パターンに基づき各画素に対して記録を行う記録工程とを有し、前記決定工程は、予め定められた同数のドットが付着される特定レベルの複数画素に対して１種類のドット配置パターンを割当てるか、複数種類のドット配置パターンを割当てるかを、前記少なくとも一方の情報に応じて決定することを特徴とする。
【手続補正３】
【補正対象書類名】明細書
【補正対象項目名】００１５
【補正方法】変更
【補正の内容】
【００１５】
なお、上記方法において、前記特定レベルの画素に割当てられる１種類のドット配置パターンは、画素内の同じ位置にドットを付着させるパターンであり、前記特定レベルの画素に割当てられる前記複数種類のドット配置パターンは、画素内の異なる位置にドットを付着させるパターンを含むと良い。
【手続補正４】
【補正対象書類名】明細書
【補正対象項目名】００１６
【補正方法】変更
【補正の内容】
【００１６】
また、前記特定レベルの画素に割当てられる前記複数種類のドット配置パターンは、画素内の異なる位置にドットを付着させるパターンと、画素内の同じ位置にドットを付着させるパターンとを含むと良い。
【手続補正５】
【補正対象書類名】明細書
【補正対象項目名】００２０
【補正方法】変更
【補正の内容】
【００２０】
即ち、各画素の階調レベルに対応したドット配置パターンに基づき、記録ヘッドから記録媒体にインクを吐出して記録を行う記録装置であって、複数の階調レベルの内、特定の階調レベルに対応した画素に対して１種類のドット配置パターンを割当て、該割当てられたドット配置パターンに基づき記録を行う第１記録動作モードを実行するための第１記録手段と、前記特定の階調レベルに対応した画素に対して複数種類のドット配置パターンを割当て、該割当てられたドット配置パターンに基づき記録を行う第２記録動作モードを実行するための第２記録手段とを有することを特徴とする。
【手続補正６】
【補正対象書類名】明細書
【補正対象項目名】００２２
【補正方法】変更
【補正の内容】
【００２２】
即ち、記録ヘッドから記録媒体にインクを吐出して記録を行う記録装置であって、複数の階調レベルの内、特定の階調レベルに対応した画素に対し、該画素内の同じ位置にドットを付着させるドット配置パターンを割当て、該割当てられたドット配置パターンに基づき記録を行う第１記録動作モードを実行するための第１記録手段と、前記特定の階調レベルに対応した画素に対し、当画素内の異なる位置にドットを付着させるドット配置パターンを含む複数種類のドット配置パターンを割当て、該割当てられたドット配置パターンに基づき記録を行う第２記録動作モードを実行するための第２記録手段とを有することを特徴とする。
【手続補正７】
【補正対象書類名】明細書
【補正対象項目名】００２４
【補正方法】変更
【補正の内容】
【００２４】
即ち、記録ヘッドから記録媒体にインクを吐出して記録を行う記録装置であって、前記記録媒体のサイズに関する情報および画像データのサイズに関する情報の内の少なくとも一方の情報に応じて、各画素に割り当てるドット配置パターンを決定する決定手段と、前記決定手段により決定されたドット配置パターンに基づき各画素に対して記録を行う記録手段とを有し、前記決定手段は、予め定められた同数のドットが付着される特定レベルの複数画素に対して１種類のドット配置パターンを割当てるか複数種類のドット配置パターンを割当てるかを、前記少なくとも一方の情報に応じて決定することを特徴とする。
【手続補正８】
【補正対象書類名】明細書
【補正対象項目名】００２７
【補正方法】変更
【補正の内容】
【００２７】
即ち、なお、上述した前記特定レベルの画素に割当てられる前記１種類のドット配置パターンは、画素内の同じ位置にドットを付着させるパターンであり、前記特定レベルの画素に割当てられる前記複数種類のドット配置パターンは、画素内の異なる位置にドットを付着させるパターンを含むことが望ましい。
【手続補正９】
【補正対象書類名】明細書
【補正対象項目名】００２８
【補正方法】変更
【補正の内容】
【００２８】
そのような場合、前記特定レベルの画素に割当てられる前記複数種類のドット配置パターンは、画素内の異なる位置にドットを付着させるパターンと、画素内の同じ位置にドットを付着させるパターンとを含むことが望ましい。